【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
バッテリ（２）によって電力供給されるように設計されたボディウェアラブル医療装置（１）であって、前記医療装置は、体に直接取り付けられてユーザによって携行されるか、体に近づけて携行されるように設計される、体外治療および／または診断用医療装置であり、
前記バッテリに接触するバッテリ接点（１１）と、
前記バッテリ接点（１１）と並列の電気的配置のコンデンサ（１２）と、
前記医療装置（１）の動作を制御するように構成されている制御ユニット（１４）と
を含み、
前記制御ユニット（１４）は、バッテリテストユニット（１４１）を含み、前記バッテリテストユニット（１４１）はバッテリテストを実行するように構成されており、前記バッテリテストは、
第１の時点ｔ１のコンデンサ電圧Ｕの値として第１のコンデンサ電圧Ｕ１を決定することと、
前記第１の時点ｔ１の後に、第２の時点ｔ２の前記コンデンサ電圧Ｕの値として第２のコンデンサ電圧Ｕ２を決定することと、
前記第１の時点ｔ１と前記第２の時点ｔ２の間にテスト電流を引き出すことであって、前記第１の時点ｔ１は前記テスト電流を引き出すことの開始によって決定され、前記第２の時点ｔ２は、第２の時点における前記コンデンサ電圧Ｕが、前記テスト電流が引き出されている間に安定し且つ実質的に一定であるように決定される、引き出すことと、
前記第１のコンデンサ電圧Ｕ１と前記第２のコンデンサ電圧Ｕ２の間の電圧差から、および／または前記第１の時点ｔ１と前記第２の時点ｔ２の間の時間差から、前記バッテリの充電状態を決定することと
を含む、
ボディウェアラブル医療装置（１）。
【請求項２】
前記テスト電流が、１５秒以上、特に３０秒から１２０秒の間引き出される、請求項１に記載のボディウェアラブル医療装置（１）。
【請求項３】
前記制御ユニット（１４）がコンピューティング回路を含み、前記コンピューティング回路は基準ルーチンを実行するように構成されており、前記テスト電流が前記基準ルーチンの前記実行に起因して前記コンピューティング回路によって引き出される、請求項１または２のいずれかに記載のボディウェアラブル医療装置（１）。
【請求項４】
前記バッテリテストユニット（１４１）が、ローパスフィルタ（１４１’）を含み、さらに前記コンデンサ（１２）上の電圧降下Ｕ＊をローパスフィルタリングすることによって前記コンデンサ電圧Ｕを決定するように構成されている、請求項１から３のいずれかに記載のボディウェアラブル医療装置（１）。
【請求項５】
前記ローパスフィルタ（１４１’）が有限インパルス応答（ＦＩＲ）フィルタ、特に移動平均フィルタである、請求項４に記載のボディウェアラブル医療装置（１）。
【請求項６】
前記バッテリテストユニット（１４１）が、前記テスト電流が引き出されている間に、前記コンデンサ電圧Ｕを連続的にモニタして、前記モニタされたコンデンサ電圧Ｕから前記第２の時点ｔ２を決定するように構成されている、請求項１から５のいずれかに記載のボディウェアラブル医療装置（１）。
【請求項７】
前記バッテリテストユニット（１４１）が、前記コンデンサ電圧Ｕの変動が所定の時間にわたって所定の電圧変動閾値を超えないと決定することによって、前記第２の時点ｔ２を決定するように構成されている、請求項６に記載のボディウェアラブル医療装置（１）。
【請求項８】
前記バッテリテストユニット（１４１）が、前記コンデンサ電圧Ｕの定常状態が前記第１の時点ｔ１の後のタイムアウト間隔以内に見られない場合、進行中のバッテリテストを中止して、前記テスト電流を引き出すのを停止するように構成されている、請求項６または請求項７のいずれかに記載のボディウェアラブル医療装置（１）。
【請求項９】
前記バッテリテストユニット（１４１）が、バッテリテストを実行する前に、前記コンデンサ電圧Ｕが安定しているかどうか決定するように構成されており、さらに前記バッテリ電圧Ｕが不安定である場合にはバッテリテストを実行しないように構成されている、請求項１から８のいずれかに記載のボディウェアラブル医療装置（１）。
【請求項１０】
ステップアップ電圧コンバータ（１７）を含み、前記テスト電流は前記ステップアップ電圧コンバータ（１７）の高電圧側で引き出される、請求項１から９のいずれかに記載のボディウェアラブル医療装置（１）。
【請求項１１】
バッテリ接点（１１）が、前記バッテリ（２）を浮動式に保持している接点ばねとして実現される、請求項１から１０のいずれかに記載のボディウェアラブル医療装置（１）。
【請求項１２】
インスリンポンプおよび連続グルコース測定装置の少なくとも一方であるか、または少なくとも一方を含む、請求項１から１１のいずれかに記載のボディウェアラブル医療装置（１）。
【請求項１３】
バッテリ装着可能な医療装置（１）に電力供給するバッテリ（２）をテストするための方法であって、前記医療装置は、体に直接取り付けられてユーザによって携行されるか、体に近づけて携行されるように設計される、体外治療および／または診断用医療装置であり、前記バッテリはバッテリ接点（１１）を介して接触され、コンデンサ（１２）が前記バッテリ接点と並列の電気的配置に配置されており、前記方法はバッテリテストを実行するステップを含み、前記バッテリテストは、
第１の時点ｔ１のコンデンサ電圧Ｕの値として第１のコンデンサ電圧Ｕ１を決定するステップと、
前記第１の時点ｔ１の後に、第２の時点ｔ２の前記コンデンサ電圧Ｕの値として第２のコンデンサ電圧Ｕ２を決定するステップと、
前記第１の時点ｔ１と前記第２の時点ｔ２の間にテスト電流を引き出すステップであって、前記第１の時点ｔ１は前記テスト電流を引き出すことの開始によって決定され、前記第２の時点ｔ２は、第２の時点における前記コンデンサ電圧Ｕが、前記テスト電流が引き出されている状態で安定するように決定される、引き出すステップと、
前記第１のコンデンサ電圧Ｕ１と前記第２のコンデンサ電圧Ｕ２の間の電圧差から、および／または前記第１の時点ｔ１と前記第２の時点ｔ２の間の時間差から、前記バッテリの充電状態を決定するステップと
を含む、方法。
【請求項１４】
前記方法が、前記テスト電流を１５秒以上の間、特に３０秒から１２０秒の間引き出すステップを含む、請求項１３に記載の方法。
【請求項１５】
コンピューティング回路によって基準ルーチンを実行するステップを含み、前記テスト電流は前記基準ルーチンの前記実行に起因して前記コンピューティング回路によって引き出される、請求項１３または１４のいずれかに記載の方法。
【請求項１６】
前記コンデンサ（１２）上の電圧降下Ｕ＊をローパスフィルタリングすることによって前記コンデンサ電圧Ｕを決定するステップを含む、請求項１３から１５のいずれかに記載の方法。
【請求項１７】
前記ローパスフィルタリングが有限インパルス応答（ＦＩＲ）フィルタ、特に移動平均フィルタで実行される、請求項１６に記載の方法。
【請求項１８】
前記テスト電流が引き出されている間に、前記コンデンサ電圧Ｕを連続的にモニタして、前記モニタされたコンデンサ電圧Ｕから前記第２の時点ｔ２を決定するステップを含む、請求項１３から請求項１７のいずれかに記載の方法。
【請求項１９】
前記コンデンサ電圧Ｕの変動が所定の時間にわたって所定の電圧変動閾値を超えないと決定することによって前記第２の時点ｔ２を決定するステップを含む、請求項１８に記載の方法。
【請求項２０】
前記コンデンサ電圧Ｕの定常状態が前記第１の時点ｔ１の後のタイムアウト間隔以内に見られない場合、進行中のバッテリテストを中止して、前記テスト電流を引き出すのを停止するステップを含む、請求項１８または請求項１９に記載の方法。
【請求項２１】
バッテリテストを実行する前に、前記コンデンサ電圧Ｕが安定しているかどうかを決定し、前記バッテリ電圧Ｕが不安定である場合はバッテリテストを実行しないステップを含む、請求項１３から請求項２０のいずれかに記載の方法。
【請求項２２】
ステップアップ電圧コンバータ（１７）の高電圧側で前記テスト電流を引き出すステップを含む、請求項１３から請求項２１のいずれかに記載の方法。
【請求項２３】
前記ボディウェアラブル医療装置が、インスリンポンプおよび連続グルコース測定装置の少なくとも一方であるか、または少なくとも一方を含む、請求項１３から請求項２２のいずれかに記載の方法。